(57)【要約】【課題】火災感知器から動作信号が入力されると火災報知手段に移報信号を出力する移報増設器（アダプタ）およびそれを用いた火災報知設備に関するものであり、作業性および信頼性の向上、また、火災報知設備全体の線路長を短くすること。【解決手段】火災感知器と火災報知手段とに接続され、該火災感知器から動作信号が入力されると火災報知手段に移報信号を出力する移報増設器において、火災感知器から入力された動作信号により作動する表示灯を備えたことを特徴とする。【選択図】　図１
2004139429.tif 000002
【特許請求の範囲】
【請求項１】
火災感知器と火災報知手段とに接続され、該火災感知器から動作信号が入力されると前記火災報知手段に移報信号を出力する移報増設器において、
前記火災感知器から入力された動作信号により作動する表示灯を備えたことを特徴とする移報増設器。
【請求項２】
火災受信機と、該火災受信機と接続された複数の火災感知器と、該火災感知器の１つと接続され、前記火災感知器から動作信号が入力されると移報信号を出力する移報増設器と、該移報増設器と接続され、該移報増設器から移報信号が入力される火災報知手段とを備えた火災報知設備において、
前記移報増設器は、前記火災感知器から入力された動作信号により作動する表示灯を備え、また、前記火災感知器が部屋内に設置され、前記移報増設器および前記火災報知手段が部屋外に設置されたことを特徴とする火災報知設備。
【発明の詳細な説明】
【０００１】
【発明の属する技術分野】
この発明は、火災感知器から動作信号が入力されると火災報知手段に移報信号を出力する移報増設器およびそれを用いた火災報知設備に関する。
【０００２】
【従来の技術】
防災設備、例えば、火災報知設備では、複数ある火災感知器のうち、特定の火災感知器が動作した場合に、表示器に信号を移報したりするアダプタが設けられている。このアダプタは、火災感知器に取り付けられている（例えば、特許文献１参照。）。
【０００３】
【特許文献１】
実開昭６３−９７１９４号公報
【０００４】
【発明が解決しようとする課題】
上記火災報知設備は、火災感知器が動作した場合に表示器を作動させるため、火災感知器とアダプタとの接続作業およびアダプタと表示器との接続作業を行わなければならず作業が煩雑であり、この場合、アダプタと表示器との接続の不具合があると火災感知器が動作しても表示器が作動しないことがあった。また、火災報知設備全体の線路長を短くしたいという課題もある。
【０００５】
本発明は、上記課題を解決するためになされたもので、火災感知器から動作信号が入力されると火災報知手段に移報信号を出力する移報増設器（アダプタ）およびそれを用いた火災報知設備に関するものであり、作業性および信頼性の向上、また、火災報知設備全体の線路長を短くすることを目的とする。
【０００６】
【課題を解決するための手段】
本発明は、火災感知器と火災報知手段とに接続され、該火災感知器から動作信号が入力されると火災報知手段に移報信号を出力する移報増設器において、火災感知器から入力された動作信号により作動する表示灯を備えたことを特徴とする。
【０００７】
また本発明は、火災受信機と、該火災受信機と接続された複数の火災感知器と、該火災感知器の１つと接続され、火災感知器から動作信号が入力されると移報信号を出力する移報増設器と、該移報増設器と接続され、該移報増設器から移報信号が入力される火災報知手段とを備えた火災報知設備において、移報増設器は、火災感知器から入力された動作信号により作動する表示灯を備え、また、火災感知器が部屋内に設置され、移報増設器および火災報知手段が部屋外に設置されたことを特徴とする。
【０００８】
【実施例】
本発明の第１実施例を図１〜図２に基づいて説明する。図１は、移報増設器を用いた火災報知設備の全体構成図である。図２は、図１の概略回路図である。
【０００９】
まず、図１に基づき、本発明の全体構成を説明する。この火災報知設備は、建物等に設置されており、火災受信機１０と、複数の火災感知器２０（２０ａ、２０ｂ、２０ｃ）と、複数の移報増設器３０（３０ａ、３０ｂ、３０ｃ）と、火災報知手段の一例としての複数の音響装置４０（４０ａ、４０ｂ、４０ｃ）とを備えている。
【００１０】
建物内の管理室１には火災受信機１０が設置され、各部屋２ａ、２ｂ、２ｃにはそれぞれ火災感知器２０ａ、２０ｂ、２０ｃが設置されており、火災受信機１０と火災感知器２０ａ、２０ｂ、２０ｃとは一対の電源兼信号線ｌ１、ｌ２を介して接続され、電源兼信号線ｌ１、ｌ２の終端には終端抵抗Ωが接続されている。
【００１１】
各部屋２ａ、２ｂ、２ｃの外、例えば廊下３には後述する室外表示灯３１を内蔵した移報増設器３０ａ、３０ｂ、３０ｃが設置されており、火災感知器２０ａと移報増設器３０ａとは一対の信号線ｌ３ａ、ｌ４ａを介して接続され、火災感知器２０ｂと移報増設器３０ｂとは一対の信号線ｌ３ｂ、ｌ４ｂを介して接続され、火災感知器２０ｃと移報増設器３０ｃとは一対の信号線ｌ３ｃ、ｌ４ｃを介して接続されている。また、移報増設器３０ａ、３０ｂ、３０ｃは火災受信機１０と一対の室外表示灯用電源線ｌ７、ｌ８を介して接続されている。
【００１２】
各部屋２ａ、２ｂ、２ｃの外であり各移報増設器３０ａ、３０ｂ、３０ｃの近傍には、音響装置４０ａ、４０ｂ、４０ｃが設置されており、移報増設器３０ａと音響装置４０ａとは一対の信号線ｌ５ａ、ｌ６ａを介して接続され、移報増設器３０ｂと音響装置４０ｂとは一対の信号線ｌ５ｂ、ｌ６ｂを介して接続され、移報増設器３０ｃと音響装置４０ｃとは一対の信号線ｌ５ｃ、ｌ６ｃを介して接続されている。また、音響装置４０ａ、４０ｂ、４０ｃは火災受信機１０と一対の音響用電源線ｌ９、ｌ１０を介して接続されている。
【００１３】
つぎに、図２に基づき、本発明の回路構成を説明する。火災感知器２０は、火災検知手段（図示せず）と、一対の端子Ｃ、Ｌと、一対の端子ＸＣ、ＸＬとを備えている。一対の端子Ｃ、Ｌは、火災受信機１０からの一対の電源兼信号線ｌ１、ｌ２が接続され、この一対の端子Ｃ、Ｌからは、更に一対の電源兼信号線ｌ１、ｌ２が引き出され、後続する火災感知器２０に接続されている。
【００１４】
火災検知手段（図示せず）は火災を検知するものであり、端子Ｃ、Ｌを介して得られる火災受信機１０からの電源電圧Ｅの供給を受けて駆動し、火災を検知すると端子Ｃ、Ｌ間を低インピーダンスに短絡して、短絡電流（火災信号）を火災受信機１０に返送する。一対の端子ＸＣ、ＸＬは、一対の信号線ｌ３、ｌ４により移報増設器３０と接続され、火災検知手段（図示せず）が火災を検知すると端子ＸＣ、ＸＬ間に動作信号としての所定の電流を流すように設定されている。
【００１５】
移報増設器３０は、一対の端子ＸＬ１、ＸＬ２と、一対の端子ＰＬ１、ＰＬ２と、一対の端子Ｓ１、Ｓ２と、室外表示灯３１と、リレーＲＹ１と、リレーＲＹ２とを備えている。一対の端子ＸＬ１、ＸＬ２は、その一端側に、火災感知器２０からの一対の信号線ｌ３、ｌ４が接続され、この一対の端子ＸＬ１、ＸＬ２の他端側の間には、リレーＲＹ１のダイオード、リレーＲＹ２のダイオードが直列に接続され、またリレーＲＹ１のダイオード、リレーＲＹ２のダイオードと並列に逆流防止用ダイオードＤが接続されている。
【００１６】
一対の端子ＰＬ１、ＰＬ２は、その一端側の間に、リレーＲＹ１の接点と室外表示灯３１が直列に接続されている。また、一対の端子ＰＬ１、ＰＬ２の他端側は、火災受信機１０からの一対の室外表示灯用電源線ｌ７、ｌ８が接続され、この一対の端子ＰＬ１、ＰＬ２の他端側からは、更に一対の室外表示灯用電源線ｌ７、ｌ８が引き出され、後続する移報増設器３０の一対の端子ＰＬ１、ＰＬ２に接続されている。
【００１７】
一対の端子Ｓ１、Ｓ２は、その一端側の間に、リレーＲＹ２の接点が直列に接続されている。また、一対の端子Ｓ１、Ｓ２の他端側は、音響装置４０からの一対の信号線ｌ５、ｌ６が接続されている。
【００１８】
リレーＲＹ１、リレーＲＹ２は、火災感知器２０の火災検知手段（図示せず）が火災を検知して端子ＸＣ、ＸＬ間に所定の電流が流れると、リレーＲＹ１のダイオード、リレーＲＹ２のダイオードに電流が流れて、リレーＲＹ１の接点、リレーＲＹ２の接点がオンするように設定されている。これにより、移報増設器３０は、リレーＲＹ１の接点がオンして一対の端子ＰＬ１、ＰＬ２間が導通することで室外表示灯３１が作動して点灯し、また、リレーＲＹ２の接点がオンして一対の端子Ｓ１、Ｓ２間が導通することで音響装置４０に移報信号を出力する。
【００１９】
音響装置４０は、一対の端子Ｐ１、Ｐ２と、一対の端子Ｐ３、Ｐ４と、ブザー４１とを備えている。一対の端子Ｐ１、Ｐ２は、その一端側に、移報増設器３０からの一対の信号線ｌ５、ｌ６が接続されている。一対の端子Ｐ３、Ｐ４は、その他端側に、火災受信機１０からの一対の音響用電源線ｌ９、ｌ１０が接続されている。この一対の端子Ｐ３、Ｐ４の他端側からは、更に一対の音響用電源線ｌ９、ｌ１０が引き出され、後続する音響装置４０の一対の端子Ｐ３、Ｐ４に接続される。また、端子Ｐ１の他端側と端子Ｐ３の一端側の間には、ブザー４１が接続されており、端子Ｐ２の他端側と端子Ｐ４の一端側の間は、電気的に接続されている。音響装置４０は、移報増設器３０から移報信号が入力されると、つまり、移報増設器３０のリレーＲＹ２の接点がオンして一対の端子Ｓ１、Ｓ２間が導通すると、ブザー４１が鳴動する。
【００２０】
このような構成の火災報知設備の作動について、例えば部屋２ａを用いて説明する。火災感知器２０ａが火災を検知していない場合、移報増設器３０ａのリレーＲＹ１の接点およびリレーＲＹ２の接点はオフであり、移報増設器３０ａの室外表示灯３１は点灯しない。また、音響装置４０ａのブザー４１も鳴動しない。
【００２１】
ここで、火災感知器２０ａが、火災検知手段により火災を検知すると、端子Ｃ、Ｌ間を低インピーダンスに短絡して、短絡電流（火災信号）を火災受信機１０に返送する。また、一対の端子ＸＣ、ＸＬ間に所定の電流を流して、動作信号を出力する。
【００２２】
移報増設器３０ａは、動作信号の入力により、リレーＲＹ１のダイオードおよびリレーＲＹ２のダイオードに電流が流れ、リレーＲＹ１の接点およびリレーＲＹ２の接点がオンする。すると、一対の端子ＰＬ１、ＰＬ２間には、一対の室外表示灯用電源線ｌ７、ｌ８からの電流が流れるので、室外表示灯３１が点灯する。また、端子Ｓ１、Ｓ２間を導通させて移報信号を出力する。
【００２３】
音響装置４０ａは、移報信号の入力、つまり移報増設器３０ａのリレーＲＹ２の接点がオンしたことにより、端子Ｐ１、Ｐ３間に、一対の音響用電源線ｌ９、ｌ１０からの電流が流れるので、ブザー４１が鳴動する。
【００２４】
以上により、部屋２ａ内で火災が発生したことを、部屋２ａ外の室外表示灯３１および音響装置４０で報知することができ、そのため、建物内にいる人間は、火災発生場所を迅速に知ることができる。
【００２５】
従来の移報増設器では、火災感知器に移報増設器を接続し、該移報増設器に室外表示灯や音響装置を接続する必要があったが、この実施例では、移報増設器に室外表示灯を内蔵したので、移報増設器に室外表示灯を接続する作業が必要なくなり、また、この接続作業のミスにより室外表示灯が作動しない等の不具合がなくなり、作業性および信頼性が向上する。
【００２６】
特に、部屋内の火災の発生を部屋外に報知する目的で、室外表示灯や音響装置は部屋外に設置されることが通常であり、従来の火災報知設備では、部屋内から部屋外へ引き出される信号線は、移報増設器と室外表示灯とを接続する信号線２本と移報増設器と音響装置とを接続する信号線２本の合計４本必要であったが、この実施例の火災報知設備では、室外表示灯を内蔵した移報増設器および音響装置を部屋外に設置したので、部屋内から部屋外へ引き出される信号線は、火災感知器と移報増設器とを接続する信号線２本だけであり、また、移報増設器と音響装置とを接続する信号線２本は部屋内から部屋外へ引き出される信号線の線路長と比べて短いため、火災報知設備全体の線路長を短くすることができる。
【００２７】
なお、移報増設器３０は、図３のように構成してもよい。図２の移報増設器との相違点は、一対の端子ＸＬ１、ＸＬ２の他端側の間に、リレーＲＹ１の代わりに、室外表示灯３１が設けられていること、一対の端子ＰＬ１、ＰＬ２が設けられていないことである。
【００２８】
この移報増設器３０は、火災感知器２０が火災を検知したときに一対の端子ＸＬ１、ＸＬ２間に流れる所定の電流で室外表示灯３１を点灯させるようにしたものであり、この場合は、室外表示灯用電源線ｌ７、ｌ８が必要なくなる。
【００２９】
前記実施例において、火災を報知する火災報知手段として音響装置４０を用いたが、人間の視覚や聴覚や嗅覚などに訴えかけて火災を報知できるものであればよい。また、移報増設器３０に接続できる火災報知手段は複数であってもよい。
【００３０】
【発明の効果】
以上のように構成したので、移報増設器に室外表示灯を接続する作業が必要なくなり、また、この接続作業のミスにより室外表示灯が作動しない等の不具合がなくなり、作業性および信頼性が向上する。
【００３１】
また、室外表示灯を内蔵した移報増設器および火災報知手段を部屋外に設置することで、従来と比べて、火災報知設備全体の線路長を短くすることができる。
【図面の簡単な説明】
【図１】本発明の第１実施例を示す、移報増設器を用いた火災報知設備の全体構成図である。
【図２】
図１の概略回路図である。
【図３】
移報増設器の他の例を示す概略回路図である。
【符号の説明】
２０　火災感知器
３０　移報増設器
３１　室外表示灯
４０　音響装置（火災報知手段）
【図１】
2004139429.tif 000003
【図２】
2004139429.tif 000004
【図３】
2004139429.tif 000005